(57)【要約】      （修正有）【課題】  音声信号の大小に拘わらず一定の基準で音声を識別できるようにする。【解決手段】  音声周波数領域に含まれる基本波および各高調波成分の振幅またはパワーの合計に対する、基本波および各高調波成分のそれぞれの振幅またはパワーの比率を寄与率として求め、音声信号の大小に影響を受けることのない比率である寄与率の現れ方から、子音と母音の音素を特定する。【選択図】      図１
2006343544.tif 000002
【特許請求の範囲】
【請求項１】
音声信号からサンプリングされＡ／Ｄ変換された音声データ群を周波数分析し、これによって得られる振幅スペクトルまたはパワースペクトルから、音声周波数領域に含まれる基本波および各高調波成分の振幅またはパワーの合計に対する、基本波および各高調波成分のそれぞれの振幅またはパワーの比率を寄与率として求め、この寄与率の現れ方から、子音と母音の音素を特定することを特徴とする音声認識方法。
【請求項２】
音声データ群を子音領域と母音領域に区分し、子音領域の音声データ群と母音領域の音声データ群をそれぞれ周波数分析して寄与率を求め、各音声データ群における寄与率の現れ方から、子音と母音の音素を特定することを特徴とする請求項１に記載の音声認識方法。
【請求項３】
寄与率として、音声周波数領域に含まれる基本波および各高調波成分の振幅の合計に対する基本波および各高調波成分のそれぞれの振幅の比率を用いることを特徴とする請求項１または２に記載の音声認識方法。
【請求項４】
音声データ群に対し、Ｎ個の音声データの分析区間毎に順次周波数分析を施し、各分析区間毎に寄与率を求めることを特徴とする請求項１〜３のいずれか１項に記載の音声認識方法。
【請求項５】
音声データ群に対して窓関数処理を施してから周波数分析を施すことを特徴とする請求項１〜４いずれか１項に記載の音声認識方法。
【請求項６】
窓関数処理にハミング窓を用い、周波数分析に高速フーリエ解析を用いることを特徴とする請求項１〜５のいずれか１項に記載の音声認識方法。
【発明の詳細な説明】
【技術分野】
【０００１】
本発明は、話者の音声から、簡便な処理装置を用いて言語を認識することができる音声認識方法に関する。さらに詳しくは、音声信号の大小に拘わらず同じ基準で分析することができる音声認識方法に関する。
【背景技術】
【０００２】
従来、音声認識方法としては、音声波形から母音領域と子音領域を分別し、分別された母音領域の波形と子音領域の波形から当該母音と子音を特定して認識できるようにする方法が提案されている（例えば、特許文献１参照）。
【０００３】
また、上記母音と子音の特定方法として、分別された母音領域について、音声波形の音声信号レベルが電圧ゼロボルトを通過してから正電圧領域を推移して再び電圧ゼロボルトを通過するまでの時間を検知して当該母音を特定し、分別された子音領域について、音声波形の音声信号レベルが電圧ゼロボルトを通過または電圧ゼロボルト近傍から上昇後、正電圧領域を推移して再び電圧ゼロボルトを通過または電圧ゼロボルト近傍に達するまでの時間を検知して当該子音を特定する方法も提案されている（例えば、特許文献２参照）。
【０００４】
【特許文献１】特開平９−１０１７９７号公報
【特許文献２】特開２００１−２６５３７９号公報
【発明の開示】
【発明が解決しようとする課題】
【０００５】
上記従来の音声認識方法は、いずれも母音と子音を分けて識別しようとするものであるが、マイクロホンなどから採取した音声波形そのものを基準に識別するものとなっている。このため、特に声の大小（音声信号の大小）の影響を受けやすく、日常会話などの条件が不定な環境下では正確な識別が行いにくい問題がある。
【０００６】
本願発明は、上記従来の音声認識法の問題点に鑑みてなされたもので、音声信号の大小に拘わらず一定の基準で音声を識別できるようにすることを目的とする。
【課題を解決するための手段】
【０００７】
本発明は、上記目的のために、音声信号からサンプリングされＡ／Ｄ変換された音声データ群を周波数分析し、これによって得られる振幅スペクトルまたはパワースペクトルから、音声周波数領域に含まれる基本波および各高調波成分の振幅またはパワーの合計に対する、基本波および各高調波成分のそれぞれの振幅またはパワーの比率を寄与率として求め、この寄与率の現れ方から、子音と母音の音素を特定することを特徴とする音声認識方法を提供するものである。
【０００８】
また、上記本発明は、音声データ群を子音領域と母音領域に区分し、子音領域の音声データ群と母音領域の音声データ群をそれぞれ周波数分析して寄与率を求め、各音声データ群における寄与率の現れ方から、子音と母音の音素を特定すること、
寄与率として、音声周波数領域に含まれる基本波および各高調波成分の振幅の合計に対する基本波および各高調波成分のそれぞれの振幅の比率を用いること、
音声データ群に対し、Ｎ個の音声データの分析区間毎に順次周波数分析を施し、各分析区間毎に寄与率を求めること、
音声データ群に対して窓関数処理を施してから周波数分析を施すこと、
窓関数処理にハミング窓を用い、周波数分析に高速フーリエ解析を用いること、
をその好ましい態様として含むものである。
【発明の効果】
【０００９】
本発明の音声認識方法は、寄与率を用いて子音と母音の特定を行うものとなっている。
【００１０】
ところで、本発明における寄与率は、音声周波数領域に含まれる基本波および各高調波成分の振幅の合計に対する基本波および各高調波成分のそれぞれの振幅の比率、または、音声周波数領域に含まれる基本波および各高調波成分のパワーの合計に対する基本波および各高調波成分のそれぞれのパワーの比率である。そして、寄与率は、上記のような比率であることから、音声信号の大小に影響を受けることのない値であり、本発明は、この寄与率を基準に音声認識を行うものであることから、音声信号の大小に拘わらず、確度の高い識別を行うことができるものである。
【発明を実施するための最良の形態】
【００１１】
本発明に係る音声識別方法の基本的な手順を説明する。なお、ここでの説明は、説明の便宜上、被験者が日本語における五十音の一音を発してこれをサンプリングした場合を例にして説明する。
【００１２】
まず、本発明に係る音声認識方法の一例を図１に基づいて説明する。
【００１３】
音声信号は、例えばマイクロホンなどによりアナログ信号として採取し、必要に応じて増幅したりフィルター処理を加えた後、サンプリングし、Ａ／Ｄ変換して、一旦メモリーに音声データ群として記録する。
【００１４】
音声を認識する上で分析が必要な周波数は、言語によっても多少異なるが、例えば日本語においては、５〜５．５ｋＨｚ程度までは必要であろうと考えられる。また、連続信号に含まれる周波数成分を正しくサンプリングデータとして得るには、サンプリング周波数が連続信号の持つ周波数の上限の２倍以上でなければならないとされていることから、サンプリング周波数は１０ｋＨｚ以上であることが好ましい。後述する具体例では５０ｋＨｚでサンプリングを行っているが、現実的にはこれほどの高い周波数とする必要はない。また、予めサンプリング周波数の１／２を超える周波数成分をフィルター（ローパスフィルター）でカットしておくことが好ましい。
【００１５】
メモリーに格納された音声データは、通常、最初と最後に存在する無信号領域（無音領域）を除いて取り出されて周波数分析が施されるが、周波数分析誤差をできるだけ少なく抑えるため、その前処理として、窓関数処理を施すことが好ましい。
【００１６】
窓関数処理を行う場合の窓関数としては、ハニング窓、ハミング窓、ブラックマン窓、矩形窓などがあり、いずれを用いることも可能であるが、音声はランダム波形であることから、音声解析で最も一般的に用いられているハミング窓が好ましい。
【００１７】
ハミング窓を用いた場合、元の音声データ値をｄ、データ番号をｎ、周波数分析に用いるデータ数をＮとすると、変換後のデータＸは以下の通りとなる。
【００１８】
Ｘ＝ｄ×〔０．５４−０．４６×ｃｏｓ｛２×π×ｎ／（Ｎ−１）｝〕
ｎ＝０〜（Ｎ−１）
【００１９】
周波数分析に用いるデータ数Ｎは、これが少ない場合周波数分解能は低下するが、分析区間内での時間分解能が大きく現れる。逆に、データ数Ｎが多いと、分析区間内での時間分解能は小さくなるが、周波数分解能が向上する。周波数分解能が過剰に低下すると、後述する寄与率が音声波形に含まれる周波数成分を正しく反映しにくくなり、寄与率の現れ方の特徴を掴みにくくなることから、４０〜１００Ｈｚの分解能が得られるようにサンプリング周波数に応じてデータ数を調整することが好ましい。なお、高速フーリエ解析の場合、データ数は２の整数乗となる。
【００２０】
音声データ群について、必要に応じて上記窓関数処理を施してから周波数分析を行い、振幅スペクトルおよび／またはパワースペクトルを求める。この周波数分析にはフーリエ解析、特に処理時間が短い高速フーリエ解析が好ましい。
【００２１】
フーリエ解析（高速フーリエ解析）を用いた場合、１回の解析で、前記音声データ群中のＮ個（例えば５１２個、１０２４個などの２の整数乗の個数）の音声データについて、ｍ＝１（ｍは次数）の時の基本周波数と基本周波数の整数倍（基本周波数の次数倍）の周波数（高調波）とについて、それぞれ対応する正弦波成分の係数ａmと余弦波成分の係数ｂmが得られる。そして、これらの係数を用い、以下のようにして振幅スペクトルＸmとパワースペクトルＸm2を求めることができる。なお、ｍ＝０は直流成分に対応する。
【００２２】
Ｘm＝√（ａm2＋ｂm2）
Ｘm2＝ａm2＋ｂm2
【００２３】
本発明における寄与率は、ｍ＝１の基本周波数からｍ＝２以上の各高調波成分の振幅スペクトルＸmの合計に対する各振幅スペクトルＸmの比率Ｃ、または、ｍ＝１の基本周波数からｍ＝２以上の各高調波成分のパワースペクトルＸm2の合計に対する各パワースペクトルＸm2の比率Ｃ’として求めることができる。ＣまたはＣ’は、比として求めても百分率で求めても良い。比として求める場合、下記式となる。百分率で求める場合、それぞれ１００を乗じた値となる。
【００２４】
Ｃ＝（１／ΣＸm）×（Ｘm）
Ｃ’＝（１／ΣＸm2）×（Ｘm2）
【００２５】
なお、ｍの上限は、周波数分析を行う際の周波数分解能によって異なるが、音声認識を行うに必要な周波数まで分析できる次数までで足る。具体的には、サンプリング周波数が５０ｋＨｚ、データ数Ｎが１０２４個であるとすると、周波数分析で得られる次数は、（１０２４／２）―１＝５１１であるが、周波数分解能＝５００００÷１０２４≒４８Ｈｚであることと、前記のように日本語の音声認識では５．５ｋＨｚ程度までの分析が必要であると考えると、ｍ＝５５００÷４８≒１１４となる。
【００２６】
本発明で用いる寄与率は、上記ＣとＣ’のいずれでも良いが、Ｃ’の場合変動がほぼ二乗で現れることから、振幅スペクトルよりも周波数成分の大小が強調されやすくなるため、Ｃを用いることが好ましい。
【００２７】
周波数分析は、例えば、音声データ群の適宜の領域のＮ個の音声データについて１回行うだけとすることもできる。しかし、通常、音声データ群がＮ個を超える音声データの集まりとなるようにデータ数Ｎやサンプル数を定めることから、Ｎ個の音声データを１つの分析区間（１フレーム）とし、各分析区間を所定音声データ数ずつずらせながら、音声データ群全体を複数回に分けて周波数分析することが好ましい。このようにして音声データ群全体を分析することで精度を向上させることができる。この場合、各分析区間毎に寄与率を求めることになる。分析区間番号をｊとすると、前記寄与率Ｃ，Ｃ’は下記のように表すことができる。
【００２８】
Ｃj＝（１／ΣＸjm）×（Ｘjm）
Ｃj’＝（１／Σ（Ｘjm2）×（Ｘjm2）
【００２９】
上記周波数分析により、通常、ｍ次までの寄与率が各分析区間毎に求められる。そして、求められた寄与率の状態と、予め定められた判定基準とを対比することにより、音声データ群から識別できる母音の音素と子音の音素が特定される。例えば、子音の音素が「ｋ」で母音の音素が「ａ」と特定された場合、「カ」との識別結果となる。また、その音声データ群から「ａ」だけしか特定されない場合、「ア」との識別結果となる。
【００３０】
次に、本発明に係る音声識別方法の他の例を図２に基づいて説明する。
【００３１】
音声信号のサンプリングおよびＡ／Ｄ変換は図１の例と同様である。
【００３２】
本例においては、メモリーに格納された音声データ群を、窓関数処理に先立って、母音領域の音声データ群と子音領域の音声データ群に区分する。この母音領域と子音領域の区分けは、例えば次のようにして行うことができる。
【００３３】
１  音声データ群の信号領域の先頭位置から所定個数の音声データを次々に比較し、音声データ中で最大のピーク（最大ピークＰmax）の値とその位置（最大ピークＰmaxは音声データ群の中間部に存在する）を求める。
【００３４】
２  適宜の音声データ数の区間を設定し、最大ピークＰmaxの位置から音声データ群の先頭に向かって、順次区間内で最も大きいピーク（区間ピークＰn）を求める。
【００３５】
３  母音領域においては急激なピークの低下はないことから、最大ピークＰmaxと、これに隣接する区間における区間ピークＰ1、さらにＰ1の区間に隣接する次の区間における区間ピークＰ2のように次々に対比し、例えば区間ピークＰ1が最大ピークＰmaxの６０％以上である場合は母音領域であると判別することができ、また区間ピークＰnが一つ前の区間ピークＰn-1の６０％以上である場合には母音領域の続きであると判別することができる。
【００３６】
４  上記対比を行って、区間ピークＰnが一つ前の区間ピークＰn-1に比して大きく低下する位置を求め、これが先頭位置であれば全体が母音領域と判別でき、これが音声データ群の中間位置であれば、子音領域と母音領域の境界であると判別できる。また、ピーク値が急激に低下した位置が先頭位置ではない場合でも、先頭位置から当該位置までのデータ数が極端に少ないときには、母音の立ち上がり領域であると判断することができる。
【００３７】
５  また、最大ピークＰmaxの位置から音声データ群の最後尾に向かって同様のピーク値の対比を行うと、母音領域の最後尾の位置を検知することができる。複数音を連続して発生した場合、この位置を検知することで、音間の境界を検知することができる。
【００３８】
上記の母音領域と子音領域の区分け方法はその一例で、本発明における母音領域と子音領域の区分け方法としては、従来公知のいずれの方法でも適用することができる。例えば背景技術で挙げた特許文献１の方法で行うこともできる。また、複数の区分け方法を併用することもできる。
【００３９】
音声データ群を母音領域の音声データ群と子音領域の音声データ群に区分した後、必要に応じてそれぞれに前述と同様の窓関数処理を施し、さらに前述と同様にして周波数分析を行い、振幅スペクトルおよび／またはパワースペクトルを求める。
【００４０】
上記周波数分析は、前記母音領域の音声データ群と、子音領域の音声データ群のそれぞれについて施され、それぞれｍ次までの寄与率が各分析区間毎に求められる。そして、求められた寄与率の状態と、予め定められた判定基準と対比されて、母音と子音が特定される。例えば、子音が「ｋ」で母音が「ａ」と特定された場合、「カ」との識別結果となる。また、母音領域のみであって、その音声データ群から「ａ」と特定された場合、「ア」との識別結果となる。特に本例の場合、子音領域の音声データ群から求められた寄与率は子音の音素を特定するための判定基準のみの対比とし、母音領域の音声データ群から求められた寄与率は母音の音素を特定するための判定基準のみの対比とすることができ、予め母音領域と子音領域を区分けしておくことで、対比を簡略化することができる。
【００４１】
子音と母音の音素を特定するための判定基準は、予めできるだけ多数の被験者から五十音の寄与率を求め、各被験者の五十音それぞれの音素についての寄与率の現れ方を整理しておくことで用意することができる。具体的には、どのような周波数領域にどのような大きさの寄与率が何個現れるか、最大の寄与率を生じる周波数領域、特定の周波数領域の寄与率と他の特定の周波数領域の寄与率との大小関係などを五十音の音素についてデータベース化しておくことで用意することができる。
【００４２】
判定基準との対比により、複数の音素が該当する結果が得られる場合などにおいては、例えば音素に優先順位を定めておいて、その順番で特定したり、原波形を参照することでいずれかを選択することが可能である。
【００４３】
判定基準を作成する場合や、未知の音声を識別する場合に、ニューラルネットワークなどを導入することにより、より認識精度を高めることが可能である。また、コンピューター以外にも、適当な電子回路を用いることにより、目的を達成することが可能である。
【００４４】
次に、実際に寄与率を求めた例について説明する。
【００４５】
―「ア」について―
図１に示す手順で音素の判定を行った。
【００４６】
まず、被験者に単音で「ア」を発声してもらい、その音声をマイクロホンで採取し、サンプリングし、Ａ／Ｄ変換して、１番から順次時系列でデータ番号を付してパーソナルコンピューターのメモリーに格納した。サンプリング周波数は５０ｋＨｚで、Ａ／Ｄで変換を行う際に、ローパスフィルターで２５ｋＨｚを超える周波数成分をカットした。
【００４７】
採取した音声波形を図３に示す。
【００４８】
メモリーに格納した音声データ群の音声信号領域（無信号領域を除いた領域）を取り出し、ハミング窓関数による窓関数処理を施し、高速フーリエ変換を施した。高速フーリエ変換のデータ数Ｎは１０２４、周波数分析次数ｍは１１４までとした。なお、今回の場合は、（１０２４／２）−１＝５１１次までのスペクトルが求められているが、１１５次から５１１次までのスペクトルは全て無視できる値であった（０に近かった）。
【００４９】
百分率で求めた寄与率を表１〜表１８に示す。
【００５０】
表１は、データ番号が３１４〜１３３８までの１０２４の音声データを１分析区間（１フレーム）として高速フーリエ変換して求めた寄与率を示し、表２は、データ番号が７１４〜１７３８までの１０２４の音声データ１分析区間としてを高速フーリエ変換して求めた寄与率を示す。表１のデータ番号が３１４からであるのに対し、表２のデータ番号が７１４であるのは、各分析区間の間を４００の音声データ分だけずらせながら分析を行ったことを示す。１０２４の音声データを１フレームとし、各フレーム間を４００の音声データ分だけずらせているのは以後の他の表においても同様である。
【００５１】
また、各表の末尾に示される「判定」の欄の記載は、特定された母音または子音の音素を示し、「判定基準」の欄の記載は、後述する表３１１〜３２２に示される「音素」の欄にカッコ書きで示される符号に対応する。「判定」と「判定基準」の欄が空欄である場合は、判定には使用されなかったデータ（後述する判定基準には該当しなかったデータ）であったことを示す。これらは以後の他の表においても同様である。
【００５２】
―「イ」について―
被験者に単音で「イ」を発生してもらい、以下「ア」の測定と同様にして寄与率を求めた。
【００５３】
採取した音声波形を図４に示すと共に、百分率で求めた寄与率を表１９〜表４３に示す。なお、表１のデータ番号が３１４から始まっているのに対し、表１９のデータ番号が２１からとなっているのは、表１においては３１３までが無信号状態（無音状態）であったために処理対象外とされ、表１９においてはそれが２０までであったことによる。以後の他の音の表におけるデータ番号のズレも同様である。
【００５４】
―「ウ」について―
被験者に単音で「ウ」を発音してもらい、以下「ア」の測定と同様にして寄与率を求めた。
【００５５】
採取した音声波形を図５に示すと共に、百分率で求めた寄与率を表４４〜表６８に示す。
【００５６】
―「エ」について―
被験者に単音で「エ」を発音してもらい、以下「ア」の測定と同様にして寄与率を求めた。
【００５７】
採取した音声波形を図６に示すと共に、百分率で求めた寄与率を表６９〜表９３に示す。
【００５８】
―「オ」について―
被験者に単音で「オ」を発音してもらい、以下「ア」の測定と同様にして寄与率を求めた。
【００５９】
採取した音声波形を図７に示すと共に、百分率で求めた寄与率を表９４〜表１２３に示す。
【００６０】
―「カ」行について―
被験者に単音で「カ」を発音してもらい、以下「ア」の測定と同様にして寄与率を求めた。
【００６１】
採取した音声波形を図８に示すと共に、百分率で求めた寄与率を表１２４〜表１４４に示す。
【００６２】
なお、「キ」、「ク」、「ケ」、「コ」については、子音の音素判別自体は「カ」と同様であることから省略する。
【００６３】
―「サ」行について―
被験者に単音で「サ」を発音してもらい、以下「ア」の測定と同様にして寄与率を求めた。
【００６４】
採取した音声波形を図９に示すと共に、百分率で求めた寄与率を表１４５〜表１７３に示す。
【００６５】
なお、「シ」、「ス」、「セ」、「ソ」については、子音の音素判別自体は「サ」と同様であることから省略する。
【００６６】
―「タ」行について―
被験者に単音で「タ」を発音してもらい、以下「ア」の測定と同様にして寄与率を求めた。
【００６７】
採取した音声波形を図１０に示すと共に、百分率で求めた寄与率を表１７４〜表１９４に示す。
【００６８】
なお、「チ」、「ツ」、「テ」、「ト」については、子音の音素判別自体は「タ」と同様であることから省略する。
【００６９】
―「ナ」行について―
被験者に単音で「ナ」を発音してもらい、以下「ア」の測定と同様にして寄与率を求めた。
【００７０】
採取した音声波形を図１１に示すと共に、百分率で求めた寄与率を表１９５〜表２２３に示す。
【００７１】
なお、「ニ」、「ヌ」、「ネ」、「ノ」については、子音の音素判別自体は「ナ」と同様であることから省略する。
【００７２】
―「ハ」行について―
被験者に単音で「ハ」を発音してもらい、以下「ア」の測定と同様にして寄与率を求めた。
【００７３】
採取した音声波形を図１２に示すと共に、百分率で求めた寄与率を表２２４〜表２５０に示す。
【００７４】
なお、「ヒ」、「フ」、「ヘ」、「ホ」については、子音の音素判別自体は「ハ」と同様であることから省略する。
【００７５】
―「マ」行について―
被験者に単音で「マ」を発音してもらい、以下「ア」の測定と同様にして寄与率を求めた。
【００７６】
採取した音声波形を図１３に示すと共に、百分率で求めた寄与率を表２５１〜表２８０に示す。
【００７７】
なお、「ミ」、「ム」、「メ」、「モ」については、子音の音素判別自体は「マ」と同様であることから省略する。
【００７８】
―「ヤ」行について―
「ヤ」、「ユ」、「ヨ」については、「ｉａ」、「ｉｕ」、「ｉｏ」に準ずると考えられることから省略する。
【００７９】
―「ラ」行について―
被験者に単音で「ラ」を発音してもらい、以下「ア」の測定と同様にして寄与率を求めた。
【００８０】
採取した音声波形を図１５に示すと共に、百分率で求めた寄与率を表２８１〜表３１０に示す。
【００８１】
なお、「リ」、「ル」、「レ」、「ロ」については、子音の音素判別自体は「ラ」と同様であることから省略する。
【００８２】
―「ワ」行について―
「ワ」、「ヲ」については、「ｕａ」、「ｕｏ」に準ずると考えられることから省略する。
【００８３】
―「ン」について―
「ン」については「ｕｎ」または「n」若しくは「m」に準ずると考えられることから省略する。
【００８４】
―判定基準について―
男女複数の被験者から五十音を測定した結果得られた判定基準の一例を表３１１〜３２２に示す。
【００８５】
この表３１１〜３２２においては、表示を簡略化するため、１次高調波（４９Ｈｚ）と２次高調波（９８Ｈｚ）の寄与率を足し合わせた値を９８Ｈｚの寄与率とし、３次高調波（１４７Ｈｚ）と４次高調波（１９６Ｈｚ）の寄与率を足し合わせた値を１９６Ｈｚの寄与率とし、以下同様にして、ｍ−１次高調波の寄与率とｍ次高調波の寄与率を足し合わせた値をｍ次の周波数における寄与率として表したものとなっている（ただし、ここでのｍは２以上の整数）。しかし、判定基準は、ｍ−１次高調波の寄与率とｍ次高調波の寄与率を足し合わせた値をｍ次の周波数における寄与率として表したものを基準としなければならないものではなく、各分析区間における１次からｍ次までの寄与率をそのまま表したものを基準とすることもできる。
【００８６】
なお、表３１１〜３２２において、「周波数」の項目における上段と下段の数字は、９８Ｈｚに乗ずべき数字を意味し、上段の数字は十の位を指し、下段の数字は一の位を指す。また、「区間」の欄に示されるＡ，Ｂ，Ｃ，…などの符号は、「周波数」の欄に矢印で示される領域を意味するが、以下の説明の便宜上付したもので、各表に付されている符号が同じ周波数領域を意味するものではない。
【００８７】
以下、表３１１〜３２２を補足説明する。
【００８８】
（１）「ａ」の判定基準について
表３１１に示されるように、Ａ−１とＡ−２の２つの判定基準のいずれか一方を満たすときに「ａ」と判定することができる。
【００８９】
Ａ−１は、以下の条件を総て満たすときに「ａ」と判定するものである。
・  区間Ａ（１×９８〜４×９８Ｈｚ）にあるスペクトルには、寄与率の大きさが１０以上のものが存在しないこと。
・  区間Ｂ（５×９８〜９×９８Ｈｚ）にあるスペクトルには、寄与率の大きさが１０以上のものが２個未満であること。
・  区間Ｃ（８×９８〜１５×９８Ｈｚ）にあるスペクトルには、寄与率の大きさが３以上のものが３個を超えて存在すること。
・  区間Ｄ（１３×９８〜２５×９８Ｈｚ）にあるスペクトルには、寄与率の大きさが３以上のものが０個でないこと。
【００９０】
Ａ−２は、以下の条件を総て満たすときに「ａ」と判定するものである。
・  区間Ａ（１×９８〜４×９８Ｈｚ）にあるスペクトルには、寄与率の大きさが１０以上のものが存在しないこと。
・  区間Ｂ（２×９８〜７×９８Ｈｚ）にあるスペクトルには、寄与率の大きさが３以上のものが１個を超えて存在すること。
・  区間Ｃ（５×９８〜９×９８Ｈｚ）にあるスペクトルには、寄与率の大きさが１０以上のものが２個未満であること。
・  区間Ｄ（９×９８〜１５×９８Ｈｚ）にあるスペクトルには、寄与率の大きさが１０以上のものが２個を超えて存在すること。
・  区間Ｅ（１３×９８〜２５×９８Ｈｚ）にあるスペクトルには、寄与率の大きさが３以上のものが０個でないこと。
【００９１】
（２）「ｉ」の判定基準について
表３１２に示されるように、Ｉ−１とＩ−２の２つの判定基準のいずれかを満たすときに「ｉ」と判定することができる。
【００９２】
Ｉ−１の表の見方は前記「ａ」の判定基準を示す表３１１に準ずる。
【００９３】
Ｉ−２は、以下の条件を総て満たすときに「ｉ」と判定するものである。
・  区間Ａ（２×９８〜４×９８Ｈｚ）にあるスペクトルには、寄与率の大きさが９以上のものが０個でないこと。
・  区間Ｂ（１１×９８〜１５×９８Ｈｚ）にあるスペクトルには、寄与率の大きさが２．５以上のものが０個であること。
・  区間Ｃ（１７×９８〜２６×９８Ｈｚ）にあるスペクトルには、寄与率の大きさが２．５以上のものが６個未満であること。
・  区間Ｄ（１７×９８〜２０×９８Ｈｚ）にあるスペクトルには、寄与率の大きさが１．５以上のものが０個であること。
・  区間Ｅ１（２８×９８〜４１×９８Ｈｚ）にあるスペクトルには、寄与率の大きさが
０．５以上のものが８個以上あること、または区間E２（２８×９８〜４１×９８Ｈｚ）にあるスペクトルには、寄与率の大きさが１以上のものが３個以上あること、若しくは
区間Ｆ（２８×９８〜４１×９８Ｈｚ）にあるスペクトルには、寄与率の大きさが０．５以上のものが３個以上あり、かつ区間Ｇ（２８×９８〜４１×９８Ｈｚ）にあるスペクトルには、寄与率の大きさが１以上のものが０個でないこと。
・  区間Ｈ（３５×９８〜４６×９８Ｈｚ）にあるスペクトルには、寄与率の大きさが
２．５以上のものが０個であること。
・区間１×９８〜１０×９８Ｈｚにおいては、寄与率の大きさが３以上のものは７×９８
Ｈｚ以上には存在しないこと。
【００９４】
（３）「ｕ」、「ｅ」、「ｏ」、「ｓ」、「ｔ」の判定基準について
「ｕ」は表３１３、「ｅ」は表３１４、「ｏ」は表３１５、「ｓ」は表３１７、「ｔ」は表３１８に示される判定基準によって判定することができる。「ｕ」、「ｅ」、「ｏ」、「ｓ」および「ｔ」のＴ−１の表の見方は上記「ａ」の判定基準を示す表３１１に準ずる。「ｔ」のＴ−１の表の見方は次に述べるＫ−２の見方に準ずる。
【００９５】
（４）「ｋ」の判定基準について
表３１６に示されるように、Ｋ−１とＫ−２とＫ−３の３つの判定基準のいずれか一つを満たすときに「ｋ」と判定することができる。
【００９６】
Ｋ−１とＫ−３の表の見方は前記「ａ」の判定基準を示す表３１１に準ずる。
【００９７】
Ｋ−２は、以下の条件を総て満たすときに「ｋ」と判定するものである。
・  区間Ａ（１×９８〜５×９８Ｈｚ）にあるスペクトルには、寄与率の大きさが６以上のものが０個であること。
・  区間Ｂ（１６×９８〜２０×９８Ｈｚ）にあるスペクトルには、寄与率の大きさが２．５以上のものが０個であること。
・  区間Ｃ１（３６×９８〜４０×９８Ｈｚ）にあるスペクトルには、寄与率の大きさが２以上のものが１個以上あること、または、区間Ｃ２（４６×９８〜５５×９８Ｈｚ）にあるスペクトルには、寄与率の大きさが２以上のものが１個以上あること。
・  区間Ｄ（４１×９８〜４５×９８Ｈｚ）にあるスペクトルには、寄与率の大きさが３以上のものが１個以上あること。
【００９８】
（５）「ｎ」の判定基準について
表３１９に示されるように、以下の条件を総て満たすときに「ｎ」と判定することができる。
・  区間Ａ（１×９８〜６×９８Ｈｚ）にあるスペクトルには、寄与率の大きさが３０以上のものが０個であること。
・  区間Ｂ（１×９８〜６×９８Ｈｚ）にあるスペクトルには、寄与率の大きさが１０以上のものが１個を超えること。
・  区間Ｃ（１×９８〜６×９８Ｈｚ）にあるスペクトルには、寄与率の大きさが５以上のものが２個を超えること。
・  区間Ｄ（７×９８〜９×９８Ｈｚ）にあるスペクトルの最大寄与率をｐ０とし、区間Ｅ（１０×９８〜１５×９８Ｈｚ）にあるスペクトルの最大寄与率をｐ１とし、区間Ｆ（１６×９８〜２１×９８Ｈｚ）にあるスペクトルの最大寄与率をｐ２とし、区間Ｇ（２２×９８〜３０×９８Ｈｚ）にあるスペクトルの最大寄与率をｐ３としたときに、ｐ０、ｐ２、ｐ３のうちの最低１個がｐ１よりも大きく、かつ、ｐ０、ｐ２、ｐ３のうちの最低１個の寄与率が２以上であること。
・  区間Ｈ（３１×９８〜５５×９８Ｈｚ）にあるスペクトルには、寄与率の大きさが２以上のものが０個であること。
【００９９】
（６）「ｈ」の判定基準について
表３２０に示されるように、Ｈ−１〜Ｈ−４の４つの判定基準のいずれか一つを満たすときに「ｈ」と判定することができる。
【０１００】
Ｈ−２の表の見方は前記表３２０のＫ−２に準じ、Ｈ−３の表の見方は前記「ａ」の判定基準を示す表３１１に準ずる。
【０１０１】
Ｈ−１は、以下の条件を総て満たすときに「ｈ」と判定するものである。
・  区間Ａ１（１×９８〜５×９８Ｈｚ）にあるスペクトルには、寄与率の大きさが７以上のものが０個でないこと、または、区間Ａ２（２１×９８〜２６×９８Ｈｚ）にあるスペクトルには、寄与率の大きさが３以上のものが０個でないこと。
・  区間Ｂ（６×９８〜１０×９８Ｈｚ）にあるスペクトルには、寄与率の大きさが３以上のものが０個でないこと。
・  区間Ｃ（１１×９８〜１５×９８Ｈｚ）にあるスペクトルには、寄与率の大きさが３以上のものが０個でないこと。
・  区間Ｄ（１６×９８〜２０×９８Ｈｚ）にあるスペクトルには、寄与率の大きさが３以上のものが０個でないこと。
・  区間Ｅ（６×９８〜３０×９８Ｈｚ）にスペクトルの最大寄与率ｐ０が存在し、かつ、このｐ０の大きさが８以上であること。
【０１０２】
Ｈ−４は、以下の条件を総て満たすときに「ｈ」と判定するものである。
・  区間Ａ（１×９８〜５×９８Ｈｚ）にあるスペクトには、寄与率の大きさが２０以上のものが０個であること。
・  区間Ｃ（１×９８〜２６×９８Ｈｚ）にスペクトルの最大寄与率ｐ０が存在し、かつ、このｐ０の大きさが８以上であること。
・  上記最大寄与率ｐ０が属する区間を除く区間Ｂ１〜Ｂ８のいずれか２区間以上で、寄与率の大きさが４以上のものが１個以上存在すること。
【０１０３】
（７）「ｍ」の判定基準について
表３２１に示されるように、Ｍ−１とＭ−２の２つの判定基準のいずれか一方を満たすときに「ｍ」と判定することができる。
【０１０４】
Ｍ−１は、以下の条件を総て満たすときに「ｍ」と判定するものである。
・  区間Ａ（１×９８〜６×９８Ｈｚ）にあるスペクトルには、寄与率の大きさが１０以上のものが１個を超えること。
・  区間Ｂ（１×９８〜６×９８Ｈｚ）にあるスペクトルには、寄与率の大きさが５以上のものが２個を超えること。
・  区間Ｃ（７×９８〜１０×９８Ｈｚ）にあるスペクトルの最大寄与率をｐ０とし、区間Ｄ（１１×９８〜１５×９８Ｈｚ）にあるスペクトルの最大寄与率をｐ１とし、区間Ｅ（１６×９８〜２１×９８Ｈｚ）にあるスペクトルの最大寄与率をｐ２とし、区間Ｆ（２２×９８〜３０×９８Ｈｚ）にあるスペクトルの最大寄与率をｐ３としたときに、ｐ１は、ｐ０、ｐ２、ｐ３のいずれよりも大きく、かつ、ｐ１は２以上であること。
・  区間Ｇ（３１×９８〜５５×９８Ｈｚ）にあるスペクトルには、寄与率の大きさが４以上のものが０個であること。
【０１０５】
Ｍ−２の表の見方は前記「ａ」の判定基準を示す表３１１に準ずる。
【０１０６】
（８）「ｒ」の判定基準について
「ｒ」は表３２２に示される判定基準によって判定することができる。この表の見方は上記表３２１のＭ−１に準ずる。
【０１０７】
【表１】
2006343544.tif 000003
【０１０８】
【表２】
2006343544.tif 000004
【０１０９】
【表３】
2006343544.tif 000005
【０１１０】
【表４】
2006343544.tif 000006
【０１１１】
【表５】
2006343544.tif 000007
【０１１２】
【表６】
2006343544.tif 000008
【０１１３】
【表７】
2006343544.tif 000009
【０１１４】
【表８】
2006343544.tif 000010
【０１１５】
【表９】
2006343544.tif 000011
【０１１６】
【表１０】
2006343544.tif 000012
【０１１７】
【表１１】
2006343544.tif 000013
【０１１８】
【表１２】
2006343544.tif 000014
【０１１９】
【表１３】
2006343544.tif 000015
【０１２０】
【表１４】
2006343544.tif 000016
【０１２１】
【表１５】
2006343544.tif 000017
【０１２２】
【表１６】
2006343544.tif 000018
【０１２３】
【表１７】
2006343544.tif 000019
【０１２４】
【表１８】
2006343544.tif 000020
【０１２５】
【表１９】
2006343544.tif 000021
【０１２６】
【表２０】
2006343544.tif 000022
【０１２７】
【表２１】
2006343544.tif 000023
【０１２８】
【表２２】
2006343544.tif 000024
【０１２９】
【表２３】
2006343544.tif 000025
【０１３０】
【表２４】
2006343544.tif 000026
【０１３１】
【表２５】
2006343544.tif 000027
【０１３２】
【表２６】
2006343544.tif 000028
【０１３３】
【表２７】
2006343544.tif 000029
【０１３４】
【表２８】
2006343544.tif 000030
【０１３５】
【表２９】
2006343544.tif 000031
【０１３６】
【表３０】
2006343544.tif 000032
【０１３７】
【表３１】
2006343544.tif 000033
【０１３８】
【表３２】
2006343544.tif 000034
【０１３９】
【表３３】
2006343544.tif 000035
【０１４０】
【表３４】
2006343544.tif 000036
【０１４１】
【表３５】
2006343544.tif 000037
【０１４２】
【表３６】
2006343544.tif 000038
【０１４３】
【表３７】
2006343544.tif 000039
【０１４４】
【表３８】
2006343544.tif 000040
【０１４５】
【表３９】
2006343544.tif 000041
【０１４６】
【表４０】
2006343544.tif 000042
【０１４７】
【表４１】
2006343544.tif 000043
【０１４８】
【表４２】
2006343544.tif 000044
【０１４９】
【表４３】
2006343544.tif 000045
【０１５０】
【表４４】
2006343544.tif 000046
【０１５１】
【表４５】
2006343544.tif 000047
【０１５２】
【表４６】
2006343544.tif 000048
【０１５３】
【表４７】
2006343544.tif 000049
【０１５４】
【表４８】
2006343544.tif 000050
【０１５５】
【表４９】
2006343544.tif 000051
【０１５６】
【表５０】
2006343544.tif 000052
【０１５７】
【表５１】
2006343544.tif 000053
【０１５８】
【表５２】
2006343544.tif 000054
【０１５９】
【表５３】
2006343544.tif 000055
【０１６０】
【表５４】
2006343544.tif 000056
【０１６１】
【表５５】
2006343544.tif 000057
【０１６２】
【表５６】
2006343544.tif 000058
【０１６３】
【表５７】
2006343544.tif 000059
【０１６４】
【表５８】
2006343544.tif 000060
【０１６５】
【表５９】
2006343544.tif 000061
【０１６６】
【表６０】
2006343544.tif 000062
【０１６７】
【表６１】
2006343544.tif 000063
【０１６８】
【表６２】
2006343544.tif 000064
【０１６９】
【表６３】
2006343544.tif 000065
【０１７０】
【表６４】
2006343544.tif 000066
【０１７１】
【表６５】
2006343544.tif 000067
【０１７２】
【表６６】
2006343544.tif 000068
【０１７３】
【表６７】
2006343544.tif 000069
【０１７４】
【表６８】
2006343544.tif 000070
【０１７５】
【表６９】
2006343544.tif 000071
【０１７６】
【表７０】
2006343544.tif 000072
【０１７７】
【表７１】
2006343544.tif 000073
【０１７８】
【表７２】
2006343544.tif 000074
【０１７９】
【表７３】
2006343544.tif 000075
【０１８０】
【表７４】
2006343544.tif 000076
【０１８１】
【表７５】
2006343544.tif 000077
【０１８２】
【表７６】
2006343544.tif 000078
【０１８３】
【表７７】
2006343544.tif 000079
【０１８４】
【表７８】
2006343544.tif 000080
【０１８５】
【表７９】
2006343544.tif 000081
【０１８６】
【表８０】
2006343544.tif 000082
【０１８７】
【表８１】
2006343544.tif 000083
【０１８８】
【表８２】
2006343544.tif 000084
【０１８９】
【表８３】
2006343544.tif 000085
【０１９０】
【表８４】
2006343544.tif 000086
【０１９１】
【表８５】
2006343544.tif 000087
【０１９２】
【表８６】
2006343544.tif 000088
【０１９３】
【表８７】
2006343544.tif 000089
【０１９４】
【表８８】
2006343544.tif 000090
【０１９５】
【表８９】
2006343544.tif 000091
【０１９６】
【表９０】
2006343544.tif 000092
【０１９７】
【表９１】
2006343544.tif 000093
【０１９８】
【表９２】
2006343544.tif 000094
【０１９９】
【表９３】
2006343544.tif 000095
【０２００】
【表９４】
2006343544.tif 000096
【０２０１】
【表９５】
2006343544.tif 000097
【０２０２】
【表９６】
2006343544.tif 000098
【０２０３】
【表９７】
2006343544.tif 000099
【０２０４】
【表９８】
2006343544.tif 000100
【０２０５】
【表９９】
2006343544.tif 000101
【０２０６】
【表１００】
2006343544.tif 000102
【０２０７】
【表１０１】
2006343544.tif 000103
【０２０８】
【表１０２】
2006343544.tif 000104
【０２０９】
【表１０３】
2006343544.tif 000105
【０２１０】
【表１０４】
2006343544.tif 000106
【０２１１】
【表１０５】
2006343544.tif 000107
【０２１２】
【表１０６】
2006343544.tif 000108
【０２１３】
【表１０７】
2006343544.tif 000109
【０２１４】
【表１０８】
2006343544.tif 000110
【０２１５】
【表１０９】
2006343544.tif 000111
【０２１６】
【表１１０】
2006343544.tif 000112
【０２１７】
【表１１１】
2006343544.tif 000113
【０２１８】
【表１１２】
2006343544.tif 000114
【０２１９】
【表１１３】
2006343544.tif 000115
【０２２０】
【表１１４】
2006343544.tif 000116
【０２２１】
【表１１５】
2006343544.tif 000117
【０２２２】
【表１１６】
2006343544.tif 000118
【０２２３】
【表１１７】
2006343544.tif 000119
【０２２４】
【表１１８】
2006343544.tif 000120
【０２２５】
【表１１９】
2006343544.tif 000121
【０２２６】
【表１２０】
2006343544.tif 000122
【０２２７】
【表１２１】
2006343544.tif 000123
【０２２８】
【表１２２】
2006343544.tif 000124
【０２２９】
【表１２３】
2006343544.tif 000125
【０２３０】
【表１２４】
2006343544.tif 000126
【０２３１】
【表１２５】
2006343544.tif 000127
【０２３２】
【表１２６】
2006343544.tif 000128
【０２３３】
【表１２７】
2006343544.tif 000129
【０２３４】
【表１２８】
2006343544.tif 000130
【０２３５】
【表１２９】
2006343544.tif 000131
【０２３６】
【表１３０】
2006343544.tif 000132
【０２３７】
【表１３１】
2006343544.tif 000133
【０２３８】
【表１３２】
2006343544.tif 000134
【０２３９】
【表１３３】
2006343544.tif 000135
【０２４０】
【表１３４】
2006343544.tif 000136
【０２４１】
【表１３５】
2006343544.tif 000137
【０２４２】
【表１３６】
2006343544.tif 000138
【０２４３】
【表１３７】
2006343544.tif 000139
【０２４４】
【表１３８】
2006343544.tif 000140
【０２４５】
【表１３９】
2006343544.tif 000141
【０２４６】
【表１４０】
2006343544.tif 000142
【０２４７】
【表１４１】
2006343544.tif 000143
【０２４８】
【表１４２】
2006343544.tif 000144
【０２４９】
【表１４３】
2006343544.tif 000145
【０２５０】
【表１４４】
2006343544.tif 000146
【０２５１】
【表１４５】
2006343544.tif 000147
【０２５２】
【表１４６】
2006343544.tif 000148
【０２５３】
【表１４７】
2006343544.tif 000149
【０２５４】
【表１４８】
2006343544.tif 000150
【０２５５】
【表１４９】
2006343544.tif 000151
【０２５６】
【表１５０】
2006343544.tif 000152
【０２５７】
【表１５１】
2006343544.tif 000153
【０２５８】
【表１５２】
2006343544.tif 000154
【０２５９】
【表１５３】
2006343544.tif 000155
【０２６０】
【表１５４】
2006343544.tif 000156
【０２６１】
【表１５５】
2006343544.tif 000157
【０２６２】
【表１５６】
2006343544.tif 000158
【０２６３】
【表１５７】
2006343544.tif 000159
【０２６４】
【表１５８】
2006343544.tif 000160
【０２６５】
【表１５９】
2006343544.tif 000161
【０２６６】
【表１６０】
2006343544.tif 000162
【０２６７】
【表１６１】
2006343544.tif 000163
【０２６８】
【表１６２】
2006343544.tif 000164
【０２６９】
【表１６３】
2006343544.tif 000165
【０２７０】
【表１６４】
2006343544.tif 000166
【０２７１】
【表１６５】
2006343544.tif 000167
【０２７２】
【表１６６】
2006343544.tif 000168
【０２７３】
【表１６７】
2006343544.tif 000169
【０２７４】
【表１６８】
2006343544.tif 000170
【０２７５】
【表１６９】
2006343544.tif 000171
【０２７６】
【表１７０】
2006343544.tif 000172
【０２７７】
【表１７１】
2006343544.tif 000173
【０２７８】
【表１７２】
2006343544.tif 000174
【０２７９】
【表１７３】
2006343544.tif 000175
【０２８０】
【表１７４】
2006343544.tif 000176
【０２８１】
【表１７５】
2006343544.tif 000177
【０２８２】
【表１７６】
2006343544.tif 000178
【０２８３】
【表１７７】
2006343544.tif 000179
【０２８４】
【表１７８】
2006343544.tif 000180
【０２８５】
【表１７９】
2006343544.tif 000181
【０２８６】
【表１８０】
2006343544.tif 000182
【０２８７】
【表１８１】
2006343544.tif 000183
【０２８８】
【表１８２】
2006343544.tif 000184
【０２８９】
【表１８３】
2006343544.tif 000185
【０２９０】
【表１８４】
2006343544.tif 000186
【０２９１】
【表１８５】
2006343544.tif 000187
【０２９２】
【表１８６】
2006343544.tif 000188
【０２９３】
【表１８７】
2006343544.tif 000189
【０２９４】
【表１８８】
2006343544.tif 000190
【０２９５】
【表１８９】
2006343544.tif 000191
【０２９６】
【表１９０】
2006343544.tif 000192
【０２９７】
【表１９１】
2006343544.tif 000193
【０２９８】
【表１９２】
2006343544.tif 000194
【０２９９】
【表１９３】
2006343544.tif 000195
【０３００】
【表１９４】
2006343544.tif 000196
【０３０１】
【表１９５】
2006343544.tif 000197
【０３０２】
【表１９６】
2006343544.tif 000198
【０３０３】
【表１９７】
2006343544.tif 000199
【０３０４】
【表１９８】
2006343544.tif 000200
【０３０５】
【表１９９】
2006343544.tif 000201
【０３０６】
【表２００】
2006343544.tif 000202
【０３０７】
【表２０１】
2006343544.tif 000203
【０３０８】
【表２０２】
2006343544.tif 000204
【０３０９】
【表２０３】
2006343544.tif 000205
【０３１０】
【表２０４】
2006343544.tif 000206
【０３１１】
【表２０５】
2006343544.tif 000207
【０３１２】
【表２０６】
2006343544.tif 000208
【０３１３】
【表２０７】
2006343544.tif 000209
【０３１４】
【表２０８】
2006343544.tif 000210
【０３１５】
【表２０９】
2006343544.tif 000211
【０３１６】
【表２１０】
2006343544.tif 000212
【０３１７】
【表２１１】
2006343544.tif 000213
【０３１８】
【表２１２】
2006343544.tif 000214
【０３１９】
【表２１３】
2006343544.tif 000215
【０３２０】
【表２１４】
2006343544.tif 000216
【０３２１】
【表２１５】
2006343544.tif 000217
【０３２２】
【表２１６】
2006343544.tif 000218
【０３２３】
【表２１７】
2006343544.tif 000219
【０３２４】
【表２１８】
2006343544.tif 000220
【０３２５】
【表２１９】
2006343544.tif 000221
【０３２６】
【表２２０】
2006343544.tif 000222
【０３２７】
【表２２１】
2006343544.tif 000223
【０３２８】
【表２２２】
2006343544.tif 000224
【０３２９】
【表２２３】
2006343544.tif 000225
【０３３０】
【表２２４】
2006343544.tif 000226
【０３３１】
【表２２５】
2006343544.tif 000227
【０３３２】
【表２２６】
2006343544.tif 000228
【０３３３】
【表２２７】
2006343544.tif 000229
【０３３４】
【表２２８】
2006343544.tif 000230
【０３３５】
【表２２９】
2006343544.tif 000231
【０３３６】
【表２３０】
2006343544.tif 000232
【０３３７】
【表２３１】
2006343544.tif 000233
【０３３８】
【表２３２】
2006343544.tif 000234
【０３３９】
【表２３３】
2006343544.tif 000235
【０３４０】
【表２３４】
2006343544.tif 000236
【０３４１】
【表２３５】
2006343544.tif 000237
【０３４２】
【表２３６】
2006343544.tif 000238
【０３４３】
【表２３７】
2006343544.tif 000239
【０３４４】
【表２３８】
2006343544.tif 000240
【０３４５】
【表２３９】
2006343544.tif 000241
【０３４６】
【表２４０】
2006343544.tif 000242
【０３４７】
【表２４１】
2006343544.tif 000243
【０３４８】
【表２４２】
2006343544.tif 000244
【０３４９】
【表２４３】
2006343544.tif 000245
【０３５０】
【表２４４】
2006343544.tif 000246
【０３５１】
【表２４５】
2006343544.tif 000247
【０３５２】
【表２４６】
2006343544.tif 000248
【０３５３】
【表２４７】
2006343544.tif 000249
【０３５４】
【表２４８】
2006343544.tif 000250
【０３５５】
【表２４９】
2006343544.tif 000251
【０３５６】
【表２５０】
2006343544.tif 000252
【０３５７】
【表２５１】
2006343544.tif 000253
【０３５８】
【表２５２】
2006343544.tif 000254
【０３５９】
【表２５３】
2006343544.tif 000255
【０３６０】
【表２５４】
2006343544.tif 000256
【０３６１】
【表２５５】
2006343544.tif 000257
【０３６２】
【表２５６】
2006343544.tif 000258
【０３６３】
【表２５７】
2006343544.tif 000259
【０３６４】
【表２５８】
2006343544.tif 000260
【０３６５】
【表２５９】
2006343544.tif 000261
【０３６６】
【表２６０】
2006343544.tif 000262
【０３６７】
【表２６１】
2006343544.tif 000263
【０３６８】
【表２６２】
2006343544.tif 000264
【０３６９】
【表２６３】
2006343544.tif 000265
【０３７０】
【表２６４】
2006343544.tif 000266
【０３７１】
【表２６５】
2006343544.tif 000267
【０３７２】
【表２６６】
2006343544.tif 000268
【０３７３】
【表２６７】
2006343544.tif 000269
【０３７４】
【表２６８】
2006343544.tif 000270
【０３７５】
【表２６９】
2006343544.tif 000271
【０３７６】
【表２７０】
2006343544.tif 000272
【０３７７】
【表２７１】
2006343544.tif 000273
【０３７８】
【表２７２】
2006343544.tif 000274
【０３７９】
【表２７３】
2006343544.tif 000275
【０３８０】
【表２７４】
2006343544.tif 000276
【０３８１】
【表２７５】
2006343544.tif 000277
【０３８２】
【表２７６】
2006343544.tif 000278
【０３８３】
【表２７７】
2006343544.tif 000279
【０３８４】
【表２７８】
2006343544.tif 000280
【０３８５】
【表２７９】
2006343544.tif 000281
【０３８６】
【表２８０】
2006343544.tif 000282
【０３８７】
【表２８１】
2006343544.tif 000283
【０３８８】
【表２８２】
2006343544.tif 000284
【０３８９】
【表２８３】
2006343544.tif 000285
【０３９０】
【表２８４】
2006343544.tif 000286
【０３９１】
【表２８５】
2006343544.tif 000287
【０３９２】
【表２８６】
2006343544.tif 000288
【０３９３】
【表２８７】
2006343544.tif 000289
【０３９４】
【表２８８】
2006343544.tif 000290
【０３９５】
【表２８９】
2006343544.tif 000291
【０３９６】
【表２９０】
2006343544.tif 000292
【０３９７】
【表２９１】
2006343544.tif 000293
【０３９８】
【表２９２】
2006343544.tif 000294
【０３９９】
【表２９３】
2006343544.tif 000295
【０４００】
【表２９４】
2006343544.tif 000296
【０４０１】
【表２９５】
2006343544.tif 000297
【０４０２】
【表２９６】
2006343544.tif 000298
【０４０３】
【表２９７】
2006343544.tif 000299
【０４０４】
【表２９８】
2006343544.tif 000300
【０４０５】
【表２９９】
2006343544.tif 000301
【０４０６】
【表３００】
2006343544.tif 000302
【０４０７】
【表３０１】
2006343544.tif 000303
【０４０８】
【表３０２】
2006343544.tif 000304
【０４０９】
【表３０３】
2006343544.tif 000305
【０４１０】
【表３０４】
2006343544.tif 000306
【０４１１】
【表３０５】
2006343544.tif 000307
【０４１２】
【表３０６】
2006343544.tif 000308
【０４１３】
【表３０７】
2006343544.tif 000309
【０４１４】
【表３０８】
2006343544.tif 000310
【０４１５】
【表３０９】
2006343544.tif 000311
【０４１６】
【表３１０】
2006343544.tif 000312
【０４１７】
【表３１１】
2006343544.tif 000313
【０４１８】
【表３１２】
2006343544.tif 000314
【０４１９】
【表３１３】
2006343544.tif 000315
【０４２０】
【表３１４】
2006343544.tif 000316
【０４２１】
【表３１５】
2006343544.tif 000317
【０４２２】
【表３１６】
2006343544.tif 000318
【０４２３】
【表３１７】
2006343544.tif 000319
【０４２４】
【表３１８】
2006343544.tif 000320
【０４２５】
【表３１９】
2006343544.tif 000321
【０４２６】
【表３２０】
2006343544.tif 000322
【０４２７】
【表３２１】
2006343544.tif 000323
【０４２８】
【表３２２】
2006343544.tif 000324
【図面の簡単な説明】
【０４２９】
【図１】本発明に係る音声認識方法の一例を示すブロック線図である。
【図２】本発明に係る音声認識方法の他の例を示すブロック線図である。
【図３】「ア」の音声波形を示す図である。
【図４】「イ」の音声波形を示す図である。
【図５】「ウ」の音声波形を示す図である。
【図６】「エ」の音声波形を示す図である。
【図７】「オ」の音声波形を示す図である。
【図８】「カ」の音声波形を示す図である。
【図９】「サ」の音声波形を示す図である。
【図１０】「タ」の音声波形を示す図である。
【図１１】「ナ」の音声波形を示す図である。
【図１２】「ハ」の音声波形を示す図である。
【図１３】「マ」の音声波形を示す図である。
【図１４】「ラ」の音声波形を示す図である。
【図１】
2006343544.tif 000325
【図２】
2006343544.tif 000326
【図３】
2006343544.tif 000327
【図４】
2006343544.tif 000328
【図５】
2006343544.tif 000329
【図６】
2006343544.tif 000330
【図７】
2006343544.tif 000331
【図８】
2006343544.tif 000332
【図９】
2006343544.tif 000333
【図１０】
2006343544.tif 000334
【図１１】
2006343544.tif 000335
【図１２】
2006343544.tif 000336
【図１３】
2006343544.tif 000337
【図１４】
2006343544.tif 000338